(57)【要約】【課題】  家屋用の木質床パネル、及び木質床パネルを用いた床構造に関する技術を改良して、該床パネルの剛性を損なうことなく材積を節減する。 【解決手段】  基本寸法Ｌを設定し（本例では４５５ｍｍ）、幅寸法ｗ，長さ寸法４Ｌの３本の長根太１ａ，１ｂ，１ｃを平行に並べ、長さ寸法Ｌ−ｗの６本の短根太２ａ，２ｂ〜２を、前記長根太と直角方向に配置して、４個の枠７から成る田の字状構造９を形成するとともに、当該床パネルＰの長手方向の両端部に各２個のコの字状構造８を形成する。コの字状構造８は枠７に比して短根太が１本少ないので、その分だけ材積が節減される。しかし、該コの字状構造の開口部が横架材５に固定されるので、短根の駄省略によって強度の低下（特に、剛性の不足）を招く虞れが無い。【選択図】  図１
2006077434.tif 000002
【特許請求の範囲】
【請求項１】
家屋建築用の木質の床パネル（Ｐａ）において、
水平座標Ｘ−Ｙを想定するとともに、基本枠の辺長さ寸法Ｌを設定し、
長さ寸法４Ｌ、幅寸法ｗの３本の長根太（１ａ，１ｂ，１ｃ）が、Ｙ軸方向に３本、間隔寸法Ｌ−ｗで配置されるとともに、
上記３本の長根太の間に架け渡して、長さ寸法Ｌ−ｗの６本の短根太（２ａ，２ｂ，〜２ｆ）が、Ｘ軸方向に配置されており、
かつ、前記６本の短根太の内の２本は、前記長根太の垂直２等分線に相当する仮想の線に沿ってＸ軸方向に一直線上に並んで中段短根太（２ｃ，２ｄ）を形成し
前記６本の短根太の内の他の２本は中段短根太と平行に、該中段短根太との間隔寸法約Ｌ−ｗで、Ｘ軸方向に一直線上に並んで上段短根太（２ａ，２ｂ）を形成し、
前記６本の短根太の内の残りの２本は中段短根太と平行に、上段短根太の反対側に、中段短根太との間隔寸法約Ｌ−ｗで、Ｘ軸方向に一直線上に並んで上段短根太（２ａ，２ｂ）を形成して、
上記３本の長根太と６本の短根太とによって床パネル（Ｐａ）の骨組が構成されていて、  上記骨組の中央部に、１辺長さ約Ｌのほぼ正方形の枠（７）が４個形成されて田の字状構造（９）を成し、
かつ、当該床パネルの長手方向の両端部それぞれに、「１辺長さ寸法約Ｌの、コの字状構造（８）」が２個ずつ、計４個形成されていることを特徴とする床パネル。
【請求項２】
家屋建築用の木質の床パネル（Ｐｂ）において、
水平座標Ｘ−Ｙを想定するとともに、基本枠の辺長さ寸法Ｌを設定し、
長さ寸法２Ｌ、幅寸法ｗの３本の長根太（１ｄ，１ｅ，１ｆ）が、Ｙ軸方向に３本、間隔寸法Ｌ−ｗで配置されるとともに、
上記３本の長根太の間に架け渡して、長さ寸法Ｌ−ｗの４本の短根太（２）が、Ｘ軸方向に配置されており、
上記３本の長根太と４本の短根太とによって床パネル（Ｐｂ）の骨組が構成され、
上記骨組の中央部に、１辺長さ約Ｌのほぼ正方形の枠が２個形成されて日の字状構造を成し、
かつ、当該床パネルの長手方向の両端部それぞれに、「１辺長さ寸法約Ｌの、コの字状構造」が形成されていることを特徴とする床パネル。
【請求項３】
家屋建築用の木質の床パネル（Ｐｃ）において、
水平座標Ｘ−Ｙを想定するとともに、基本枠の辺長さ寸法Ｌを設定し、
長さ寸法２Ｌ、幅寸法ｗの３本の長根太（１ｇ，１ｈ，１ｉ）が、Ｙ軸方向に３本、間隔寸法Ｌ−ｗで配置されるとともに、
上記３本の長根太の間に架け渡して、長さ寸法Ｌ−ｗの２本の短根太（２）が、Ｘ軸方向に一直線状に配置されており、
上記３本の長根太と２本の短根太とによって床パネル（Ｐｃ）の骨組が構成され、
該床パネルのＹ軸方向の両端部それぞれに、「１辺長さ寸法約Ｌの、コの字状構造」が２個ずつ並んで計４個形成されていることを特徴とする床パネル。
【請求項４】
前記３本の長根太の内の少なくとも１本について、セイ方向の下側の面に、該長根太の下面から側方に張り出す形に裏打板（３）が装着されていて、前記長根太の撓み変形を軽減させるとともに、方形板状の断熱板（４）を支持していることを特徴とする、請求項１ないし請求項３に記載した床パネル。
【請求項５】
１辺の長さ寸法約Ｌ−ｗのほぼ正方形をなす板状断熱板（４）を具備していて、これら板状断熱板が前記枠および／またはコの字状構造に嵌め合わされていることを特徴とする、請求項１ないし請求項４に記載した床パネル。
【請求項６】
前記長根太および短根太のセイ寸法Ｈよりも、前記方形板状の断熱板の厚さ寸法ｔが小さくて、
前記の長根太および短根太を覆って設置された面材と断熱板との間に空隙が形成されていることを特徴とする、請求項５に記載した床パネル。
【請求項７】
複数本の横架材（５）が、間隔寸法約２ｎＬ（ただしｎは１以上の整数）、または間隔寸法ｍＬ（ただしｍは２以上の整数、望ましくは３又は４）で設置されていて、上記複数本の横架材の間に架け渡して多数の床パネルが配列されていることを特徴とする、請求項１ないし請求項５の何れかに記載した床パネルを用いた床構造。
【請求項８】
横架材に架け渡して配列された床パネル上に、１枚の面材が複数の床パネルを跨いで取り付けられていることを特徴とする、請求項７に記載した床パネルを用いた床構造。
【請求項９】
床構造を形成している床パネルの長根太及び短根太よりも上方に、必ずしも横架材や根太の直上に位置せしめることなく、可動間仕切（６）を設置することを特徴とする、請求項１ないし請求項３に記載の床パネルを用いた床構造。
【発明の詳細な説明】
【技術分野】
【０００１】
本発明は家屋の床構築に用いられる新規な木質の床パネル、及び、該新規な木質床パネルを用いた床構造に関するものである。
【背景技術】
【０００２】
新規な木質床パネルとして本発明に最も近いものに、特許文献１に示す特開２０００−３１４２００号公報に記載された「床パネルおよび床構造」が有る。
この特許文献１の発明は、建築現場での作業負荷をさほど増やさずに住宅の床の剛性や遮音性、及び耐久性をより向上させるために為されたものであって、図７は、該特許文献１の発明の１実施形態を示している。
この図７は、特許文献１の図１の上下を反転してその構造を分かり易く描いた全体的外観斜視図である（特許文献１の原図１は一部分を破断して取り除いたところを描いてあるため、本発明との比較において誤解を生じる虞れが有るので、一部破断されていない全体図を示した）。
【０００３】
２本の縦框材ｉと２本の横框材ｊとで矩形の枠体ｍが形成され、かつ、その片側を覆って面材ｓが取り付けられるとともに、
上記枠体ｍの中に、縦補強芯材ｎと横補強芯材ｒとが十字形に配置されている。
前記縦框材ｉの内側面（内側とは限定されない）に、ステンレス板などの補強板ｕが取り付けられており、該補強板ｕのセイ寸法ｈは、縦框材ｉのセイ寸法Ｈを超えない。
【特許文献１】特開２０００−３１４２００号公報
【発明の開示】
【発明が解決しようとする課題】
【０００４】
前記特許文献１の公知発明が、住宅の床組みを容易ならしめるとともに床構造の剛性を増したことは、高く評価される。
本発明の目的は、上記公知発明の長所（施工容易・高剛性）を損なうことなく、しかも木質床パネルの材積を低減し得る、新規な構成の床パネル技術を提供しようとするものである。
材積の低減によってコストを低減するとともに、省資源という社会的要請に沿い得ることが期待される。特に、木材を節約することによって「緑を守り、地球温暖化を防止する」という全人類的な課題に貢献することが期待される。
【課題を解決するための手段】
【０００５】
請求項１に係る発明の構成は、（図１参照） 家屋建築用の木質の床パネル（Ｐａ）において、
水平座標Ｘ−Ｙを想定するとともに、基本枠の辺長さ寸法Ｌを設定し、
長さ寸法４Ｌ、幅寸法ｗの３本の長根太（１ａ，１ｂ，１ｃ）が、Ｙ軸方向に３本、間隔寸法Ｌ−ｗで配置されるとともに、
上記３本の長根太の間に架け渡して、長さ寸法Ｌ−ｗの６本の短根太（２ａ，２ｂ，〜２ｆ）が、Ｘ軸方向に配置されており、
かつ、前記６本の短根太の内の２本は、前記長根太の垂直２等分線に相当する仮想の線に沿って一直線上に並んで中段短根太（２ｃ，２ｄ）を形成し
前記６本の短根太の内の他の２本は中段短根太と平行に、該中段短根太との間隔寸法約Ｌ−ｗで、Ｘ軸方向に一直線上に並んで上段短根太（２ａ，２ｂ）を形成し、
前記６本の短根太の内の残りの２本は中段短根太と平行に、上段短根太の反対側に、中段短根太との間隔寸法約Ｌ−ｗで、Ｘ軸方向に一直線上に並んで上段短根太（２ａ，２ｂ）を形成して、
上記３本の長根太と６本の短根太とによって床パネル（Ｐａ）の骨組が構成されていて、  上記骨組の中央部に、１辺長さ約Ｌのほぼ正方形の枠（７）が４個形成されて田の字状構造（９）を成し、
かつ、当該床パネルの長手方向の両端部それぞれに、「１辺長さ寸法約Ｌの、コの字状構造（８）」が２個ずつ、計４個形成されていることを特徴とする。
【０００６】
以上に説明した請求項１の発明によると、先行技術に係る床パネルに比して剛性を損なうことなく、材積を節減することができる。
すなわち、中央部の田の字状構造によって充分な剛性を確保しつつ、
両端部のコの字状構造によって、剛性を損なうこと無く、しかも、コの字の開口部に相当する１辺の根太材を省略することを得た。
上記コの字状開口部は横架材に取り付けられる構造部分であり、この横架材は根太材に比して遥かに丈夫であるから、これに接する箇所の根太材を省略しても剛性の不足（大きい撓み）を生じる虞れが無い。  
材積の節減によって製作コストが低減されるのみでなく、木材の消費を節減して森林資源の保護に貢献するところ多大である。
【０００７】
請求項２に係る発明の構成は（図５（Ｂ）参照）家屋建築用の木質の床パネル（Ｐｂ）において、
水平座標Ｘ−Ｙを想定するとともに、基本枠の辺長さ寸法Ｌを設定し、
長さ寸法３Ｌ、幅寸法ｗの３本の長根太（１ｄ，１ｅ，１ｆ）が、Ｙ軸方向に３本、間隔寸法Ｌ−ｗで配置されるとともに、
上記３本の長根太の間に架け渡して、長さ寸法Ｌ−ｗの４本の短根太（２）が、Ｘ軸方向に配置されており、
上記３本の長根太と４本の短根太とによって床パネル（Ｐｂ）の骨組が構成され、
上記骨組の中央部に、１辺長さ約Ｌのほぼ正方形の枠が２個形成されて日の字状構造を成し、
かつ、当該床パネルの長手方向（Ｙ軸方向）の両端部それぞれに、「１辺長さ寸法約Ｌの、コの字状構造」が形成されていることを特徴とする。
【０００８】
以上に説明した請求項２の発明によっても、前記請求項１におけると同様に、床パネルの剛性を損なうことなく材積を節減することができる。
材積の節減によって製作コストが低減されるのみでなく、木材の消費を節減して森林資源の保護に貢献することも請求項１におけると同様である。
【０００９】
請求項３に係る発明の構成は、（図５（Ｃ）参照）家屋建築用の木質の床パネル（Ｐｃ）において、
水平座標Ｘ−Ｙを想定するとともに、基本枠の辺長さ寸法Ｌを設定し、
長さ寸法２Ｌ、幅寸法ｗの３本の長根太（１ｇ，１ｈ，１ｉ）が、Ｙ軸方向に３本、間隔寸法Ｌ−ｗで配置されるとともに、
上記３本の長根太の間に架け渡して、長さ寸法Ｌ−ｗの２本の短根太（２）が、Ｘ軸方向に一直線状に配置されており、
上記３本の長根太と２本の短根太とによって床パネル（Ｐｃ）の骨組が構成され、
該床パネルのＹ軸方向の両端部それぞれに、「１辺長さ寸法約Ｌの、コの字状構造」が２個ずつ並んで計４個形成されていることを特徴とする。
【００１０】
以上に説明した請求項３の発明に係る床パネルは、前記請求項１の床パネルに比して約半分の面積である。このため、請求項１の床パネルを配列したとき覆い切れなかった小さい区域を、この請求項３の床パネルでカバーすると非常に便利である。このようにして、請求項１の床パネルの補助として用いると、両方の種類の床パネルの協働によって、床の剛性分布が均一になる。
しかも、この請求項３の床パネル自体が、請求項１に勝る材積節減効果を奏する。
【００１１】
請求項４に係る発明の構成は、前記請求項１ないし請求項３の発明に係る床パネルの構成要件に加えて、（図３参照）前記３本の長根太の内の少なくとも１本について、セイ方向の下側の面に、該長根太の下面から側方に張り出す形に裏打板（３）が装着されていて、前記長根太の撓み変形を軽減させるとともに、方形板状の断熱板（４）を支持していることを特徴とする。
【００１２】
以上に説明した請求項４の発明によると、裏打板の側縁が長根太の下面から側方に張り出す形となる。この張り出し部分が方形断熱板の自重を支持する役目を兼ねる。
さらに、長根太の下面に裏打板が取り付けられているので、該長根太の剛性が増して、荷重（人，家具等の重さ）による撓みが実用上完全に防止される。
本発明に係る床パネルは、その長根太が横架材に取り付けられて荷重を支持するので、該長根太の高剛性が重要である。
こうした観点から、裏打板は長根太の下面に取り付けられる。
ただし、必要に応じて短根太の下面に裏打板を装着することを妨げるものではない。
前述したように、裏打板に「補強」と「断熱板支持」との２つの役目を兼ねさせたところに、請求項４の発明の新規性・進歩性がある。
【００１３】
請求項５に係る発明の構成は、（図３（Ｂ）参照）１辺の長さ寸法約Ｌ−ｗのほぼ正方形をなす板状断熱板（４）を具備していて、これら板状断熱板が前記枠および／またはコの字状構造に嵌め合わされていることを特徴とする。
【００１４】
以上に説明した請求項５の発明によると、床パネルに方形断熱板が嵌め込まれる。この作業を床パネル製作工場で施工すれば家屋建築現場における断熱施工が著しく容易になり、断熱品質が保証されるとともに現場における断熱施工の工数が節減される。その上、断熱に関する資材の運搬・保管，管理が容易になり、かつ人為的ミスによって作業に手違いを招く虞れが無い。このようにして、断熱性，保温性に優れた床構造が低コストで供給される。
しかも方形断熱板は、床パネルの枠またはコの字状構造の中に嵌め込まれているだけであるから、床工事の都合によっては必要に応じて方形断熱板を一時的に取り外したり、再び取り付けたりすることができて非常に便利である。
【００１５】
請求項６に係る発明方法の構成は、（図３（Ｂ）参照） 前記長根太および短根太のセイ寸法Ｈよりも、前記方形板状の断熱板の厚さ寸法ｔが小さくて、
前記の長根太および短根太を覆って設置された面材と断熱板との間に空隙が形成されていることを特徴とする。
【００１６】
以上に説明した請求項６の発明によると、断熱材と面材とのまに、空気の流通を遮断された空隙が形成されるので、ほとんどコストを掛けずに断熱効果をいっそう向上せしめることができる。
【００１７】
請求項７に係る発明の構成は、前記請求項１ないし請求項５の発明に係る床パネルの構成要件に加えて、（図４参照）複数本の横架材（５）が、間隔寸法約２ｎＬ（ただしｎは１以上の整数）、もしくは間隔寸法ｍＬ（ただしｍは２以上の整数、望ましくは３または４）で設置されていて、上記複数本の横架材の間に架け渡して多数の床パネルが配列されていることを特徴とする。
【００１８】
以上に説明した請求項７の発明によると、長さ寸法が４Ｌである請求項１の床パネルや、長さ寸法が３Ｌである請求項２の床パネルの両端の「コの字状構造部分の開口端」を、横架材に接せしめて合理的に配列することができる。
横架材に接して取り付け（嵌め合わせ）られたコの字状部分は、横架材と合体して枠を形成し、剛性を発揮する。このようにして、強度を低下させることなく、材積が節減される（コの字状構造は枠構造に比して材積が少ない）。
【００１９】
請求項８に係る発明の構成は、前記請求項７の発明の構成要件に加えて、（図６参照）横架材の間に架け渡して配列された床パネル上に、１枚の面材が複数の床パネルを跨いで取り付けられていることを特徴とする。
【００２０】
以上に説明した請求項８の発明によると、水平に配列された多数の床パネルのうち、相互に隣接している２個の床パネル相互の不陸が無くなり、床面の平面度が良くなる。
【００２１】
請求項９に係る発明の構成は、前記請求項１ないし請求項３の発明の構成要件に加えて（図４（Ｂ）参照）床構造を形成している床パネルの長根太及び短根太よりも上方に、必ずしも横架材や根太の直上に位置せしめることなく、可動間仕切（６）を設置したことを特徴とする。
【００２２】
以上に説明した請求項９の発明によると、本発明の請求項１〜３の床パネルの剛性が高く、特に床全面に亙って剛性分布が均一であることを活用して、任意の箇所に可動間仕切を設置することができ、顧客指向の内装が容易に可能となる。その上、既設の家屋の間仕切を移動させることも容易である。
【発明の効果】
【００２３】
請求項１の発明によると、先行技術に係る床パネルに比して剛性を損なうことなく、材積を節減することができる。
すなわち、中央部の田の字状構造によって充分な剛性を確保しつつ、
両端部のコの字状構造によって、剛性を損なうこと無く、しかも、コの字の開口部に相当する１辺の根太材を省略することを得た。
上記コの字状開口部は横架材に取り付けられる構造部分であり、この横架材は根太材に比して遥かに丈夫であるから、これに接する箇所の根太材を省略しても剛性の不足（大きい撓み）を生じる虞れが無い。  
材積の節減によって製作コストが低減されるのみでなく、木材の消費を節減して森林資源の保護に貢献するところ多大である。
【００２４】
請求項２の発明によっても、前記請求項１におけると同様に、床パネルの剛性を損なうことなく材積を節減することができる。
材積の節減によって製作コストが低減されるのみでなく、木材の消費を節減して森林資源の保護に貢献することも請求項１におけると同様である。
【００２５】
請求項３の発明に係る床パネルは、前記請求項１の床パネルに比して約半分の面積である。このため、請求項１の床パネルを配列したとき覆い切れなかった小さい区域を、この請求項３の床パネルでカバーすると非常に便利である。このようにして、請求項１の床パネルの補助として用いると、両方の種類の床パネルの協働によって、床の剛性分布が均一になる。
しかも、この請求項３の床パネル自体が、請求項１に勝る材積節減効果を奏する。
【００２６】
請求項４の発明によると、裏打板の側縁が長根太の下面から側方に張り出す形となる。この張り出し部分が方形断熱板の自重を支持する役目を兼ねる。
さらに、長根太の下面に裏打板が取り付けられているので、該長根太の剛性が増して、荷重（人，家具等の重さ）による撓みが実用上完全に防止される。
本発明に係る床パネルは、その長根太が横架材に取り付けられて荷重を支持するので、該長根太の高剛性が重要である。
こうした観点から、裏打板は長根太の下面に取り付けられる。
【００２７】
請求項５の発明によると、床パネルに方形断熱板が嵌め込まれる。この作業を床パネル製作工場で施工すれば家屋建築現場における断熱施工が著しく容易になり、断熱品質が保証されるとともに現場における断熱施工の工数が節減される。その上、断熱に関する資材の運搬・保管，管理が容易になり、かつ人為的ミスによって作業に手違いを招く虞れが無い。このようにして、断熱性，保温性に優れた床構造が低コストで供給される。
しかも方形断熱板は、床パネルの枠またはコの字状構造の中に嵌め込まれているだけであるから、床工事の都合によっては必要に応じて方形断熱板を一時的に取り外したり、再び取り付けたりすることができて非常に便利である。
【００２８】
請求項６の発明によると、断熱材と面材とのまに、空気の流通を遮断された空隙が形成されるので、ほとんどコストを掛けずに断熱効果をいっそう向上せしめることができる。
【００２９】
請求項７の発明によると、長さ寸法が４Ｌである請求項１の床パネルや、長さ寸法が３Ｌである請求項２の床パネルの両端の「コの字状構造部分の開口端」を、横架材に接せしめて合理的に配列することができる。
横架材に接して取り付け（嵌め会わせ）られたコの字状部分は、横架材と合体して枠を形成し、剛性を発揮する。このようにして、強度を低下させることなく、材積が節減される（コの字状構造は枠構造に比して材積が少ない）。
【００３０】
請求項８の発明によると、水平に配列された多数の床パネルのうち、相互に隣接している２個の床パネル相互の不陸が無くなり、床面の平面度が良くなる。
【００３１】
請求項９の発明によると、本発明の請求項１〜３の床パネルの剛性が高く、特に床全面に亙って剛性分布が均一であることを活用して、任意の箇所に可動間仕切を設置することができ、顧客指向の内装が容易に可能となる。その上、既設の家屋の間仕切を移動させることも容易である。
【発明を実施するための最良の形態】
【００３２】
図１は、本発明の１実施形態におけるＡ形床パネル（Ｐａ）の骨組を示し、長手方向の両端部に形成されているコの字状構造の開口部先端を、横架材５の間に架け渡したところを描いた平面図に水平座標Ｘ−Ｙを付記した図である。
骨組を構成する基本枠の１辺の寸法Ｌを設定する。この寸法Ｌは任意に定めることができるが、家屋や建具の規格との関係上、本実施形態では４５５ｍｍとした。
３本の長根太１ａ，１ｂ，１ｃを、Ｙ軸方向に、間隔寸法Ｌで配列する。
ただし、中心線の間隔がＬであり、内法（うちのり）寸法はＬ−ｗとなる（ｗは長根太の幅寸法）。
【００３３】
符号２ａ，２ｂ〜２ｆを付して示したのは、長さ寸法Ｌ−ｗの６本の短根太である。
上記短根太の幅寸法は任意に設定することができるが、本実施形態では長根太の幅寸法と同じくｗとした。
本図１の左半分、または右半分に着目すると、３段の梯子（はしご）形をなしている。
このように、２個の梯子を組み合わせた「複合梯子形の床パネル」であるところに、本発明の特徴が有る。
この図１の例は３段であるから、説明の便宜上、６本の短根太を、以下に述べるように上段、中段、下段に区分して呼ぶことにする。この上中下の区別は図１に基づいて呼称するものであって、地球を基準とする上下ではない。
【００３４】
前記３本の長根太の長手方向を垂直２等分する線（本例ではＸ−Ｘ軸）に沿わせて、２本の中段短根太２ｃ，２ｄが配置され、
さらに、上記中段短根太に対して中心線間隔Ｌとなるように、２本の上段短根太２ａ，２ｂと、２本の下段短根太２ｅ，２ｆとが配置されている（中心線間隔がＬであるから、内法寸法はＬ−ｗである）。
このようにして、「中心線の１辺がＬの４個の枠７」が形成されており、
上記４個の枠７は床パネル骨組の中央部に位置し、相互に２辺を共有して「田の字状構造９」を構成している。
【００３５】
梯子の上端及び下端に相当する箇所には短根太が無く、コの字状構造８が形成されている。これらのコの字状構造は、図において開口部を上または下に向けている。すなわち、床パネルＰａの長手方向（Ｘ軸方向）に向けて開口している。
上記の骨組み構造を別の視点から考察すると、本実施形態の床パネルＰａの枠７は、長辺Ｌ、短辺Ｌ−ｗの長方形をなし、長辺は長根太で形成され、短辺にはコの字状構造の２個が並んで開口している。
この床パネルＰａの設置・支持についての詳細は図４を参照して後述するが、長手方向の端部（長さ寸法２Ｌの辺）を横架材５に接せしめて固定し、該横架材５によって支持される。
【００３６】
図２は、前掲の図１に示した実施形態に係る床パネル骨組の分解平面図に、組み立て記号を記入した製作方法説明図である。
長さ寸法４Ｌの、３本の長根太１ａ，１ｂ，１ｃを準備し、相互に平行にセットする。  これら３本の長根太それぞれについて、長さ方向に４等分し、距離Ｌ毎に接続箇所ｃを定める。
上記と別体に６本の短根太２ａ，２ｂ〜２ｆを作成し、これら短根太それぞれを長根の間に架け渡して固定する。
上記の固定は、短根太の両端それぞれを長根太の接続箇所ｃに当接させ、例えば釘打ちなど適宜の公知技術を適用して行なう。これで、本実施形態に係る床パネルの骨組が出来上がる。
【００３７】
図３は、前掲の図１に示した骨組を含む主要構造部の製作工程を説明するための分解斜視図であって、本発明に係る床パネルの設置姿勢を描いてあり、（Ａ）は裏打板の取り付け工程図、（Ｂ）は方形断熱板の取り付け工程図である。 
本図３においては、図の上方，下方が、地球を基準とした上方，下方に一致している。  （Ａ）図に示すように、３本の長根太１ａ，１ｂ，１ｃの下側から、ほぼ等長の裏打板３ａ，３ｂ，３ｃを当接して取り付ける。
本実施形態における裏打板は合板を用いたが、本発明を実施する際は合板に限定されることなく、例えば繊維板や金属板を用いることもできる。
【００３８】
（Ｂ）図は前記（Ａ）図の部分拡大図であって、３本の長根太を互いに区別せず符号１を付してある、同様に６本の短根太を互いに区別せず符号２を付してある。
この図に表されているように、裏打板３の幅幅方向について、少なくとも片方の側縁が長根太１の下面から張り出している。本図３（Ｂ）において、鎖線で囲んで示した３ａは張り出し部である。
先に図１について述べたように、本実施形態の床パネルＰａの枠７の内法は、１辺の長さ寸法がＬ−ｗであった。
そこで、（Ｂ）図に実線で描いた１辺の長さ寸法Ｌ−ｗの方形断熱板４を構成し、矢印ａ，同ａのように枠７のなかへ嵌め込む。
根太に裏打板を装着することのみを見れば周知の構造であるが、本発明におけるがごとく、「根太の下面から側方に張り出す裏打板」を「枠やコの字状構造を形成している長根太」の下面に取り付け、これによって方形断熱板を支持するという構成は本発明特有の構成である。
【００３９】
同様に、仮想線で描いた方形断熱板４′を矢印ｂ，同ｂのようにコの字状構造８に嵌め込む。これにより、断熱性を備えた床パネルが製作される。
本実施形態の床パネルＰａは、該パネル自体の中に断熱用部材が組み込まれているので、この床パネルを横架材の上に敷き並べて設置すると、即時に床の断熱構造が出来上がる。    このようにして、断熱構造の床組みが迅速容易に施工され、工数も節減される。
のみならず、断熱部材の運搬、保管，管理が著しく容易であり、床張り工事に手違いを生じる虞れが無い。 
根太のセイ寸法Ｈよりも、方形断熱板４の厚さ寸法ｔを小さくしてある。これにより、床パネルの骨組みの上に面材（図示省略、図６を参照して後に詳述）を張ると、該面材と方形断熱板との間に空隙ができて、いっそう断熱性が良くなる。
【００４０】
図４は、前掲の図１に示した実施形態に係る床パネルを敷き並べて床組み施工する工程を表しており、（Ａ）は床パネルを設置する準備工事としての横架材を描いた要部平面図、（Ｂ）は上記横架材の上に床パネルを敷設した状態の模式的な平面図に、可動間仕切を付記した図である。
この図には、先に図１について説明したＡ形床パネルＰａの６個が配列され、さらに、３個のＢ形床パネルＰａと、１個のＣ形床パネルＰｃとが配列されている。これらＡ形，Ｂ形床パネルについては、図６を参照して後に説明する。
〔（Ａ）図参照〕、多数の横架材５が、Ｘ軸方向，Ｙ軸方向に配置される。本例においては、Ｙ軸方向の間隔寸法が２Ｌ，３Ｌ，４Ｌになっている。
一般的に言えばＹ軸方向の間隔寸法は、ｍＬである（ｍは２以上の整数）。実用上は、ｍ＝４が最も有用であり、ｍ＝３も併せて用いられる。ｍ＝２は補助的に用いられる。
上記の寸法Ｌは図１について述べたとおりであり、Ｘ軸，Ｙ軸も図１におけると同様である。
横架材のＸ軸方向間隔寸法は２Ｌの整数倍、つまり２ｎＬである（ｎは１以上の整数）（図１参照）２Ｌとは、床パネルの幅寸法である。従ってｎとは、床パネルを幅方向に並べる枚数を意味する。
なお、横架材の間隔寸法を言う場合、中心線間隔で言うのと内法寸法で言うのとでは差がある。横架材間隔をＬによって表す場合、横架材の幅寸法程度の誤差が有っても本発明の技術的範囲に属する。
【００４１】
〔図４（Ｂ）参照〕、本実施形態では基本的に、横架材５で形成された１区画に３個の床パネルを配設した。これにより多数の桝目が形成される。このようにして、床構築予定区域いっぱいに、１辺寸法Ｌの桝目が、隙間無く敷きつめられる。
これによって、床面全体について、剛性分布が一様となる。
ここに「基本的に」と断ったのは、特別な用途の部屋（例えば風呂場やトイレなど）は通常の床張りを施さないから、このような区域を除いた一般的な部屋について、という意味である。
【００４２】
従来一般に、屋内の間仕切は、横架材の上に位置せしめて設けられた。このようにしないと、従来の根太では間仕切部材の重量に耐えられないからである。
しかし、本実施形態においては、通常の部屋の床面全部が丈夫な桝目（具体的には、図１で述べた枠７及びコの字状構造８）で覆われているから、必ずしも横架材５の直上であることを要せず、桝目の上に可動間仕切６を配設することができる。すなわち、配列された床パネルの長根太もしくは短根太の上方に位置せしめて（必ずしも真上でなくても良い）可動間仕切６を配設することができる。
上記長根太と短根太とによって形成されている桝目の１辺の長さはＬであり、本実施形態においてはＬ＝４５５ｍｍであり、かつ、間仕切部材自身もある程度の剛性を有しているので、実用上ほとんど任意の位置に可動間仕切を設けることができる。
【００４３】
本発明の基本的な原理は、「４本の根太で形成されていた方形の枠から、１本の根太を取り除いてコの字形構造とし、剛性を損なわずに材積を節減すること」である。
この原理を適用して前記床パネルＰａ（図１）の変形例が考えられる。図５は、前記の
Ａ形床パネルＰａと対比して、Ｂ形床パネルＰｂおよびＣ形床パネルＰｃを描いた平面図である。
Ａ形床パネルＰａが、長さ寸法４Ｌの３本の長根太と長さ寸法Ｌ−ｗの６本の短根太といよって、４個の枠と４個のコの字形構造とを形成しているのに対して、
Ｂ形床パネルＰｂは、長さ寸法３Ｌの３本の長根太と長さ寸法Ｌ−ｗの４本の短根太といよって、２個の枠と４個のコの字形構造とを形成しており、
Ｃ形床パネルＰｃは、長さ寸法２Ｌの３本の長根太と長さ寸法Ｌ−ｗの２本の短根太といよって、４個のコの字形構造を形成している
いずれの床パネルも、Ｘ軸方向の幅寸法は２Ｌである。
上記３種類の床パネルは、いずれも材積節減の効果を奏し、しかも剛性が高く、かつ、剛性の分布が均一である。
前掲の図４に示した例では、主としてＡ形床パネルＰａを配列するとともに、Ｂ形床パネルＰｂを併せて配列し、補助的に１個のＣ形床パネルＰｃを用いてある。このように各種類の床パネルを用いることにより、ユーザーの多種多様な要請に対し、任意の間取りに適合せしめて床組みを供給することができる。
【００４４】
図６は、本発明に係る床パネルＰａの上に面材を張る作業の説明図である。ただし、工事の一部分（床パネル２枚に相当する部分）だけを抽出して描いてある。
（Ａ）に示すように、２枚の床パネルＰａをＸ方向に並べて配置する。一方、２枚の面材１０をＹ方向に並べて、前記床パネルの上に張り付ける（矢印α）。これを平面図せみると（Ｂ）のようになっている。すなわち、２枚の床パネルＰａの継目はＹ軸方向になり、２枚の面材１０の継目はＸ軸方向になっている。
このように、床パネルの継目と面材の継目とが直交するので、強度的に方向性が無くなって強固になるのみでなく、不陸が無くなって、床面全体の平面度が向上する。
【００４５】
前掲の図６においては本発明（請求項８）の原理が分かり易いように、２枚の床パネルと２枚の面材とが同形に重なり合う例を示したが、本発明を実施する場合、必ずしもこの図のように「２枚・２枚」の対偶に限定されるものではない。要するに、床パネルの継目と面材の継目とをずらすことが有効である。
これを普遍的に表現すると、「配列された床パネルの上に、１枚の面材が、跨がって取り付けられている」ということになる。ここに、配列された床パネルは、必然的に複数枚である。
【図面の簡単な説明】
【００４６】
【図１】本発明の１実施形態における床パネルの骨組を示し、長手方向の端部に形成されているコの字状構造の開口部先端を横架材５の上に架けたところを描いた平面図に水平座標Ｘ−Ｙを付記した図
【図２】前掲の図１に示した実施形態に係る床パネル骨組の分解平面図に、組み立て記号を記入した製作方法説明図
【図３】前掲の図１に示した骨組を含む主要構造部の製作工程を説明するための分解斜視図であって、本発明に係る床パネルの設置姿勢を描いてあり、（Ａ）は裏打板の取り付け工程図、（Ｂ）は方形断熱板の取り付け工程図
【図４】前掲の図１に示した実施形態に係る床パネルを敷き並べてフロアリング施工する工程を表し、（Ａ）は床パネルを設置する準備工事としての横架材を描いた要部平面図（横架材伏せ図）、（Ｂ）は上記横架材の上に床パネルを敷設した状態の模式的な平面図に可動間仕切を付記した図
【図５】本実施形態に係る床パネルの変形例を対比して描いた平面図
【図６】配列された複数の床パネルと、これを覆うめ面財との関係を説明するための模式的な斜視図
【図７】公知発明（特開２０００−３１４２００号公報）に係る床パネルの１例を描いた外観斜視図
【符号の説明】
【００４７】
１，１ａ，１ｂ，１ｃ…長根太
２，２ａ，２ｂ，２ｃ２ｄ，２ｅ，２ｆ…短根太
３，３ａ，３ｂ，３ｃ…裏打板
４，４′…方形断熱板
５…横架材
６…可動間仕切
７…枠
８…コの字状構造
９…田の字状構造
１０…面材
ａ…方形断熱板を枠に嵌め込む操作を示す矢印
ｂ…方形断熱板をコの字状構造に嵌め込む操作を示す矢印
ｃ…接続箇所
Ｌ…基本枠の辺長さ寸法（この実施形態においては４５５ｍｍ）
Ｐａ…Ａ形床パネル
Ｐｂ…Ｂ形床パネル
Ｐｃ…Ｃ形床パネル
ｗ…根太の幅寸法
Ｘ，Ｙ…水平直角座標
α…面材を床パネルに取り付ける作業を表す矢印
【図１】
2006077434.tif 000003
【図２】
2006077434.tif 000004
【図３】
2006077434.tif 000005
【図４】
2006077434.tif 000006
【図５】
2006077434.tif 000007
【図６】
2006077434.tif 000008
【図７】
2006077434.tif 000009